(57)【特許請求の範囲】
【請求項１】
水準器を小型や薄状としてその水準器の取付台を介して携帯用ドリルに取り付けて、水準器本体の気泡保持部の液中の気泡位置を中央部に位置するようにして被加工面に直角に孔明けやタッピング加工する携帯用ドリルやタップ用の水準器であって、
上記水準器本体の側部の中央にその側面に対して直角方向に水準器支持軸を軸着してその水準器支持軸の先端部に球面材を取着し、水準器の取付台の水準器本体側の端部の両側部にフック状の軸支部を突設してその両側の内側に内側面を球面座とした挟持材を内側方に締め付け自在に螺着し、この挟持材の間に上記した水準器本体の側部に突設した球面材をその両側の挟持材の内側の球面座を介して挟持して、挟持材の一方を締弛ねじの締弛によって締弛して水準器本体を３次元に傾転自在に形成し、
被加工面に直角に当接するようにした直角芯出し具の直交する直角軸を携帯用ドリルのドリルチャックに挿脱自在に形成して、上記した３次元に傾転自在に取り付けた水準器で被加工面に携帯ドリルのドリルやタップを簡単かつ正確に直角に対向できるように３次元の水準器と直角芯出し具を組み合せたことを特徴とする携帯用ドリルやタップ用の水準器。
【請求項２】
水準器本体の気泡保持部の液中の気泡位置を確認するためにその中央部の気泡位置を真上側から正確に見るように内径５〜１０ｍｍ、高さまたは深さ５〜１０ｍｍの筒状または空洞の覗視部を水準器本体の気泡保持部に配設したことを特徴とする請求項１に記載の携帯用ドリルやタップ用の水準器。
【請求項３】
水準器を小型や薄状としてその水準器の取付台を介して携帯用ドリルに取り付けて、水準器本体の気泡保持部の液中の気泡位置を中央部に位置するようにして被加工面に直角に孔明けやタッピング加工する携帯用ドリルやタップ用の水準器を使用した孔明け加工方法であって、
上記水準器本体の側部の中央にその側面に対して直角方向に水準器支持軸を軸着してその水準器支持軸の先端部に球面材を取着し、水準器の取付台の水準器本体側の端部の両側部にフック状の軸支部を突設してその両側の内側に内側面を球面座とした挟持材を内側方に締め付け自在に螺着し、この挟持材の間に上記した水準器本体の側部に突設した球面材をその両側の挟持材の内側の球面座を介して挟持して、挟持材の一方を締弛ねじの締弛によって締弛して水準器本体を３次元に傾転自在に形成した水準器を携帯用ドリルやタップに取付け、
被加工面に直角に当接するようにした直角芯出し具の直交する直角軸を携帯用ドリルやリプのドリルチャックに挿着して、被加工面に直角芯出し具を当接して、上記した３次元に傾転自在に取り付けた水準器を傾転して水準器本体の気泡保持部の液中の気泡位置を中央部に位置するように設定し、
上記携帯用ドリルやタップのドリルチャックから直角芯出し具を取り出して所定のドリルやタップを挿着し、孔明け部やタップ部の被加工面に携帯用ドリルやタップのドリルやタップを対向して上記水準器の水準器本体の水平状態を確認してドリルやタップの孔明け加工を行うことを特徴とする携帯用ドリルやタップの孔明け加工方法。
【発明の詳細な説明】
【技術分野】
【０００１】
本発明は、ドリルやタップ加工分野における携帯用ドリルやタップ用の水準器および孔明け加工方法に関するものである。
【背景技術】
【０００２】
部材を取り付けたり、組み上げたりするのに、携帯用の電動ドリルで孔明け加工したり、タッピング加工することが広く行われている。その被加工材に孔明けやタッピング加工を行う場合、ドリルが被加工面に垂直となるように電動ドリルを保持するようにしているが、作業者は目測や勘によって電動ドリルを保持し、被加工面にドリルを当てて孔明けやタッピング加工をしているものであった。
【０００３】
そこで、上記の技術について先行特許調査を行った結果、特開平８−２１５９１０号公報、特開２０００−３３７８７５号公報、実開昭６０−１２０７０８号公報などが検索された。
【０００４】
特開平８−２１５９１０号公報、特開２０００−３３７８７５号公報、実開昭６０−１２０７０８号公報には、ドリル本体に水準器を装着してドリルの垂直方向や水平方向等に対して水準器をその傾斜角度を可変として、被加工面に垂直に孔明けすることが提案されている。これらのものにあっては、いずれも被加工面の傾斜面に対して水準器を２次元で調整でき、また本件出願人は水準器を３次元で可変に設定できるものを開発している。
【特許文献１】特開平８−２１５９１０号公報
【特許文献２】特開２０００−３３７８７５号公報
【特許文献３】実開昭６０−１２０７０８号公報
【０００５】
しかし、これらのものを使用すると、水準器を利用しない場合に比べて正確に開孔できるものの、被加工面の垂直度合にばらつきが発生するものであった。その原因を検討した結果、加工者は開孔時に水準器を垂直方向よりもやや斜め方向から見ているものであった。また、簡単かつ精度よく行えなかった。
【発明の開示】
【発明が解決しようとする課題】
【０００６】
本発明の解決しようとする課題は、水準器を利用して開孔する場合等に、水準器の設定が容易でなく、水準器の垂直方向よりやや斜め方向からでも気泡位置を確認できるため、開孔精度等にばらつきが生じる点にある。
【課題を解決するための手段】
【０００７】
本発明は、上記のような点に鑑みたもので、上記の課題を解決するために、水準器を小型や薄状としてその水準器の取付台を介して携帯用ドリルに取り付けて、水準器本体の気泡保持部の液中の気泡位置を中央部に位置するようにして被加工面に直角に孔明けやタッピング加工する携帯用ドリルやタップ用の水準器であって、上記水準器本体の側部の中央に、その側面に対して直角方向に水準器支持軸を軸着してその水準器支持軸の先端部に球面材を取着し、水準器の取付台の水準器本体側の端部の両側部にフック状の軸支部を突設してその両側の内側に内側面を球面座とした挟持材を内側方に締め付け自在に螺着し、この挟持材の間に上記した水準器本体の側部に突設した球面材をその両側の挟持材の内側の球面座を介して挟持して、挟持材の一方を締弛ねじの締弛によって締弛して水準器本体を３次元に傾転自在に形成し、被加工面に直角に当接するようにした直角芯出し具の直交する直角軸を携帯用ドリルのドリルチャックに挿脱自在に形成して、上記した３次元に傾転自在に取り付けた水準器で被加工面に携帯ドリルのドリルやタップを簡単かつ正確に直角に対向できるように３次元の水準器と直角芯出し具を組み合せたことを特徴とする携帯用ドリルやタップ用の水準器を提供するにある。
【０００８】
また、水準器本体の気泡保持部の液中の気泡位置を確認するためにその中央部の気泡位置を真上側から正確に見るように内径５〜１０ｍｍ、高さまたは深さ５〜１０ｍｍの筒状または空洞の覗視部を水準器本体の気泡保持部に配設したことを特徴とする携帯用ドリル用の水準器を提供するにある。
【０００９】
またさらに、水準器を小型や薄状としてその水準器の取付台を介して携帯用ドリルに取り付けて、水準器本体の気泡保持部の液中の気泡位置を中央部に位置するようにして被加工面に直角に孔明けやタッピング加工する携帯用ドリルやタップ用の水準器を使用した孔明け加工方法であって、上記水準器本体の側部の中央にその側面に対して直角方向に水準器支持軸を軸着してその水準器支持軸の先端部に球面材を取着し、水準器の取付台の水準器本体側の端部の両側部にフック状の軸支部を突設してその両側の内側に内側面を球面座とした挟持材を内側方に締め付け自在に螺着し、この挟持材の間に上記した水準器本体の側部に突設した球面材をその両側の挟持材の内側の球面座を介して挟持して、挟持材の一方を締弛ねじの締弛によって締弛して水準器本体を３次元に傾転自在に形成した水準器を携帯用ドリルに取付け、被加工面に直角に当接するようにした直角芯出し具の直交する直角軸を携帯用ドリルのドリルチャックに挿着して、被加工面に直角芯出し具を当接して、上記した３次元に傾転自在に取り付けた水準器を傾転して水準器本体の気泡保持部の液中の気泡位置を中央部に位置するように設定し、携帯用ドリルのドリルチャックから直角芯出し具を取り出して所定のドリルやタップを挿着し、孔明け部やタップ部の被加工面に携帯用ドリルのドリルやタップを対向して上記水準器の水準器本体の水平状態を確認してドリルやタップの孔明け加工を行うことを特徴とする携帯用ドリルやタップの孔明け加工方法を提供するにある。
【発明の効果】
【００１０】
本発明は、水準器本体の気泡保持部の液中の気泡位置を中央部に位置するようにして被加工面に直角に孔明けやタッピング加工する携帯用ドリルやタップ用の水準器であって、上記水準器本体の側部の中央にその側面に対して直角方向に水準器支持軸を軸着してその水準器支持軸の先端部に球面材を取着し、水準器の取付台の水準器本体側の端部の両側部にフック状の軸支部を突設してその両側の内側に内側面を球面座とした挟持材を内側方に締め付け自在に螺着し、この挟持材の間に上記した水準器本体の側部に突設した球面材をその両側の挟持材の内側の球面座を介して挟持して、挟持材の一方を締弛ねじの締弛によって締弛して水準器本体を３次元に傾転自在に形成したことによって、水準器本体の側部に突設した球面材をその両側の挟持材の内側の球面座を介して挟持して挟持材の一方を締弛ねじの締弛で水準器本体を傾転でき、一の締弛ねじの締弛操作で水準器を水平軸および／または垂直軸のまわりに傾転できて３次元で旋回できて使用し易い。
【００１１】
また、被加工面に直角に当接するようにした直角芯出し具の直交する直角軸を携帯用ドリルのドリルチャックに挿脱自在に形成して、上記した３次元に傾転自在に取り付けた水準器で被加工面に携帯ドリルのドリルやタップを簡単かつ正確に直角に対向できるように３次元の水準器と直角芯出し具を組み合せたことによって、直角芯出し具を被加工面に当接し、直角芯出し具の直角軸をドリル本体ドリルチャックに挿着すれば、ドリル本体を簡単に被加工面に直角に芯出しでき、上記したように水準器を調整して水平状に設定して、直角芯出し具を取り外し、所要のドリルやタップを挿着して、従来に比して一層精度よく加工していくことができる。
そのため、被加工面がいかなる傾斜面や曲面であっても、容易かつ正確に被加工面に直角に携帯用ドリルを対向でき、傾斜したり、曲面状の被加工面に対して簡単に垂直度の精度を高めることができて、精度よく孔明けしたり、タッピング加工ができる。
【００１２】
また、水準器本体の気泡保持部の液中の気泡位置を確認するためにその中央部に気泡位置を真上側から正確に見るように内径５〜１０ｍｍ、高さまたは深さ５〜１０ｍｍの筒状または空洞の覗視部を水準器本体の気泡保持部に配設することによって、水準器の気泡保持部の気泡を筒状または空洞の透視部の真上付近からでなれば気泡位置を正確に確認できず、簡単かつ安価に垂直度の精度を高めることができる。
【００１３】
さらに、被加工面に直角芯出し具を当接して、上記した３次元に傾転自在に取り付けた水準器を傾転して水準器本体の気泡保持部の液中の気泡位置を中央部に位置するように設定し、携帯用ドリルのドリルチャックから直角芯出し具を取り出して所定のドリルやタップを挿着し、孔明け部やタップ部の被加工面に携帯用ドリルのドリルやタップを対向して上記水準器の水準器本体の水平状態を確認してドリルやタップの孔明け加工を行うことによって、上記したように被加工面がいかなる傾斜面や曲面であっても、容易かつ正確に被加工面に直角に携帯用ドリルを対向でき、傾斜したり、曲面状の被加工面に対して簡単に垂直度の精度を高めることができて、精度よく孔明けしたり、タッピング加工ができる。
【発明を実施するための最良の形態】
【００１４】
本発明の携帯用ドリルやタップ用の水準器および孔明け加工方法は、水準器を小型や薄状としてその水準器の取付台を介して携帯用ドリルに取り付けて、水準器本体の気泡保持部の液中の気泡位置を中央部に位置するようにして被加工面に直角に孔明けやタッピング加工する携帯用ドリル用の水準器であって、上記水準器本体の側部の中央にその側面に対して直角方向に水準器支持軸を軸着してその水準器支持軸の先端部に球面材を取着し、水準器の取付台の水準器本体側の端部の両側部にフック状の軸支部を突設してその両側の内側に内側面を球面座とした挟持材を内側方に締め付け自在に螺着し、この挟持材の間に上記した水準器本体の側部に突設した球面材をその両側の挟持材の内側の球面座を介して挟持して、挟持材の一方を締弛ねじの締弛によって締弛して水準器本体を３次元に傾転自在に形成し、被加工面に直角に当接するようにした直角芯出し具の直交する直角軸を携帯用ドリルのドリルチャックに挿脱自在に形成して、上記した３次元に傾転自在に取り付けた水準器で被加工面に携帯ドリルのドリルやタップを簡単かつ正確に直角に対向できるように３次元の水準器と直角芯出し具を組み合せたことを特徴としている。
【００１５】
水準器１は、図１（ａ）、（ｂ）のように被加工面に対して容易かつ精度よく直角に孔明けやタッピング加工が行えるように水準器本体２の気泡保持部３に５〜１０ｍｍ厚さのプラスチックシートや強化ガラスシートの透明等のカバーシート４を被覆してその中央部に内径５〜１０ｍｍ、高さまたは深さ５〜１０ｍｍの覗視部５を配設し、水準器１の気泡保持部３の気泡を筒状または空洞の覗視部５の真上付近からでなれば気泡位置を正確に確認できないようにしている。
【００１６】
覗視部５の内径が５ｍｍ以下であると気泡が見にくく、１０ｍｍ以上であると精度がよくなく、高さまたは深さが５ｍｍより浅いと精度は余りよくならなく、１０ｍｍよりも高かったり深いと精度はよくなるが見にくくなって好ましくない。
【００１７】
水準器本体２としては、薄状で小型状のものが好ましく、市場において入手可能なプラスチック容器等に気泡の入った一体成形の安価なもの等を適用することができ、携帯用の電動ドリル６に取り付けて利用するには、水準器１を３次元に傾転可能に自在継手の継手手段７を介して着脱可能に取り付けられるようにするのが好ましい。
【００１８】
この継手手段７としては、たとえば図１（ａ）、（ｂ）のように取付台８の両端部にフック状の軸支部９を設けてその両側の内側に挟持材１０を内側に締め付け自在に螺着し、その挟持材１０の間に水準器本体２の側部の中央に直角方向に軸着した水準器支持軸１１の先端部に取着した球面材１２を上記した挟持材１２の側面の球面座で挟着し、締施ねじ１３の締弛によって水準器１を３次元に傾転できる自在継手とできるようにしている。１４は、締施ねじ１３の他方側の挟持材１０を螺着する皿ねじである。
【００１９】
そして、この継手手段７の取付台８を、ベルベットファスナーや磁石体、両面接着テープ等の着脱手段１５で図２のように携帯用の電動ドリル６のドリル本体１６の側面の適宜の位置に着脱可能に取付けるようにし、被加工面に直角に孔明けやタッピング加工を行うことができる。
【００２０】
そしてまた、図３、図４のようにドリル本体１６のドリルチャック１７に直角芯出し具１８を挿着してドリル本体１６を被加工面に直角に正確に位置決めできるようにしているとともに、その際上記した継手手段７を介して水準器１を水平状態に傾転して気泡を気泡保持部３の中央に位置し、直角芯出し具１８を取り換えてドリル本体１６を客観的に被加工面に対して直角に対向して加工することができる。
【００２１】
その直角芯出し具１８としては、図３（ａ）、（ｂ）のように直交状に組み立て可能とした５０〜８０ｍｍの適宜の長さの脚材２０の中央に直角軸２１を垂直に螺着するようにし、図４のように直角軸２１をドリルチャック１７に挿着することによって、上記のようにドリル本体１６を被加工面に直角に対向させることができる。
【００２２】
なお、直角芯出し具１８は、このように直角状に組み立てるのが搬送や保管に便利で好ましいが、クロス状のものや、カップ状、ピラミッド状、円弧状、その他、被加工面に対応して適宜な変形態様のものとすることができる。
【００２３】
また、水準器１の覗視部５としては、図５（ａ）、（ｂ）のように５〜１０ｍｍのプラスチックシート４を凹設したり、図６（ａ）、（ｂ）のように筒状のものとすることができ、また図７のように拡大レンズ２２を表面に被覆するのが遠くからでも気泡を見やすくできて好ましい。
【００２４】
また、本発明の水準器１は、上記のように三次元や二次元に傾転して利用できる携帯用の電動ドリルに取り付けるものが好ましい。
【実施例】
【００２５】
図１、図２は、本発明の一実施例を示すものである。本発明の水準器１は、図２のように小型の携帯用ドリル６のドリル本体１６の側面に自在継手の継手手段７を介してベルベットファスナーの着脱手段１５で着脱可能に取り付け、被加工面に対して常に直角に孔明けやタッピング加工を簡単かつ精度よく行えるようにしている。
【００２６】
水準器１は、図１（ａ）、（ｂ）のように取付台８の両側にフック状の軸支部９を設けてその両側の内側に挟持材１０を内側に締め付け自在に螺着し、その挟持材１０の間に水準器本体２の側部の中央に直角方向に軸着した水準器支持軸１１の先端部に取着した球面材１２を上記した挟持材１２の側面の球面座で挟着し、軸支部９の一方側の一の締施ねじ１３の締弛によって水準器１を３次元に傾転できるようにしている。
【００２７】
そして、水準器１は、被加工面に対して容易かつ精度よく直角に孔明けやタッピング加工が行えるように水準器本体２の気泡保持部３に６ｍｍ厚さのプラスチックのやや着色したカバーシート４を被覆してその中央部に内径５ｍｍ、深さ５ｍｍの覗視部５を内設していて、水準器１の気泡保持部３の気泡を図１（ｂ）のように空洞の覗視部５の真上付近Ａから正確に気泡位置を確認できるようにしている。
【００２８】
水準器本体２としては、薄状で小型状のものが好ましく、市場において入手可能な円盤状のプラスチック容器等に気泡の入った一体成形の安価なもの等を適用することができる。
【００２９】
特に、図１（ａ）、（ｂ）に示した自在継手７では、球面材１２を挟持材１０で挟着しているので、一の締弛ねじ１３の締弛操作によって水準器１を水平軸および／または垂直軸のまわりに旋回することができて使用し易いものである。
【００３０】
また、水準器本体２の気泡保持部３の中心部に５ｍｍ深さ、内径５ｍｍの空洞の覗視部５を内設したことによって、水準器を体裁よく上記したように覗視部５の真上付近から正確に気泡位置を確認するようにして、簡単かつ安価に垂直度の精度を高めることができる。
【００３１】
そしてまた、図４のように直角芯出し具１８の直角軸２１をドリル本体１６のドリルチャック１７に挿着し、直角芯出し具１８を被加工面に当接すればドリル本体１６を簡単に被加工面に直角に芯出しでき、上記したように水準器１を調整して水平状に設定して直角芯出し具１８を取り外し、所要のドリルやタップを挿着して従来に比して一層精度よく加工していくことができる。なお直角芯出し具１８の脚材２０を円弧状として円筒形のパイプの開孔するように対処できる。
【００３２】
このように水準器１を３次元で傾転できるため、被加工面がいかなる傾斜面や曲面であっても、ドリル本体１６をその傾斜面に直角に容易に対向できて孔明け、タッピング加工をすることができるとともに、ベルベットファスナーや磁石の簡易な着脱手段によって電動ドリルに水準器を簡単に取り付けて精度よく加工できる。
【００３３】
また特に、ドリルチャックに直角芯出し具を挿着することによって被加工面に簡単かつ正確に直角にドリル本体を位置決めすることができるので、上記した水準器を介して正確に垂直に孔明け、タッピング加工を行うことができる。
【図面の簡単な説明】
【００３４】
【図１】本発明の一実施例の水準器の平面図（ａ）および側面図（ｂ）、
【図２】同上のドリルに取り付けた状態の側面図、
【図３】同上の直角芯出し具の平面図（ａ）と分解図（ｂ）、
【図４】同上の直角芯出し具を使用した実施例の側面図、
【図５】同上の水準器の他の実施例の平面図（ａ）および側面図（ｂ）、
【図６】同上の水準器のさらに他の実施例の平面図（ａ）および側面図（ｂ）、
【図７】同上のさらに他の水準器の実施例の側面図。
【符号の説明】
【００３５】
１…水準器    ２…水準器本体    ３…気泡保持部    ４…カバーシート
５…覗視部    ６…携帯用ドリル  １６…ドリル本体  ２２…拡大用レンズ
【図１】
0003714672.tif 000002
【図２】
0003714672.tif 000003
【図３】
0003714672.tif 000004
【図４】
0003714672.tif 000005
【図５】
0003714672.tif 000006
【図６】
0003714672.tif 000007
【図７】
0003714672.tif 000008